(57)【要約】【課題】  低コスト化を図りつつ、効率的且つ確実に堆積物及び浮上物を掻き寄せることが可能な堆積物及び浮上物の掻寄装置を提供すること。【解決手段】  槽１０内で往復動する掻寄架台２０と、この掻寄架台２０の下部側に揺動可能に支持され、掻寄架台２０の往動時には、下方に垂下した垂下状態で槽１０の底１０ｂの堆積物を往動方向に掻き寄せ、掻寄架台２０の復動時には、垂下状態から揺動され底１０ｂから離間した離間状態とされる堆積物用掻寄羽根１２と、掻寄架台２０の上部側に位置する浮上物用掻寄羽根１５と、堆積物用掻寄羽根１２の揺動に機械的に連動して浮上物用掻寄羽根１５を槽１０の水面３から出没させる連動機構９と、を備えているため、堆積物及び浮上物の掻き戻しが無く、また、浮上物用掻寄羽根１５のための動力は別途必要無い。【選択図】  図１
2005144388.tif 000002
【特許請求の範囲】
【請求項１】
槽内で往復動する掻寄架台と、
この掻寄架台の下部側に揺動可能に支持され、前記掻寄架台の往動時には、下方に垂下した垂下状態で前記槽の底の堆積物を往動方向に掻き寄せ、前記掻寄架台の復動時には、前記垂下状態から揺動され前記底から離間した離間状態とされる堆積物用掻寄羽根と、
前記掻寄架台の上部側に位置する浮上物用掻寄羽根と、
前記堆積物用掻寄羽根の揺動に機械的に連動して前記浮上物用掻寄羽根を前記槽の水面から出没させる連動機構と、を備えることを特徴とする堆積物及び浮上物の掻寄装置。
【請求項２】
前記浮上物用掻寄羽根は、前記掻寄架台の上部側に揺動可能に支持され、揺動に従って水面から出没することを特徴とする請求項１記載の堆積物及び浮上物の掻寄装置。
【請求項３】
前記連動機構は、前記浮上物用掻寄羽根を備え揺動可能に支持される揺動部と、
この揺動部と前記堆積物用掻寄羽根側の揺動部分とを繋ぐワイヤ状部材と、
このワイヤ状部材を常時張るように前記揺動部に設けられるカウンタウエイトと、を具備したことを特徴とする請求項２記載の堆積物及び浮上物の掻寄装置。
【請求項４】
前記堆積物の排出位置は、前記槽の上流側に設定され、
前記浮上物の排出位置は、前記槽の下流側に設定され、
前記浮上物用掻寄羽根は、前記堆積物用掻寄羽根が前記垂下状態とされ前記槽の上流側へ向かう前記掻寄架台の往動時に水没し、前記堆積物用掻寄羽根が前記離間状態とされ前記槽の下流側へ向かう前記掻寄架台の復動時に水面上に現れることを特徴とする請求項１〜３の何れか一項に記載の堆積物及び浮上物の掻寄装置。
【請求項５】
前記堆積物用掻寄羽根、前記浮上物用掻寄羽根、これらを機械的に連動させる前記連動機構の組合せを、前記掻寄架台の往復動方向に複数組備えていることを特徴とする請求項１〜４の何れか一項に記載の堆積物及び浮上物の掻寄装置。
【請求項６】
前記堆積物用掻寄羽根及び前記浮上物用掻寄羽根は各々、前記掻寄架台の往復動方向に複数並設され、
前記堆積物用掻寄羽根、前記浮上物用掻寄羽根、これらを機械的に連動させる前記連動機構の組合せを少なくとも一組備え、
前記浮上物用掻寄羽根の動作を互いに連動させる連結手段を備えることを特徴とする請求項１〜４の何れか一項に記載の堆積物及び浮上物の掻寄装置。
【発明の詳細な説明】
【技術分野】
【０００１】
本発明は、槽の底に堆積した堆積物を掻き寄せることが可能であると共に、槽内の水面に浮上する浮上物を掻き寄せることも可能な堆積物及び浮上物の掻寄装置に関する。
【背景技術】
【０００２】
従来、例えば沈殿地等の槽の底に堆積する堆積物を効率的に掻き寄せる堆積物の掻寄装置として、揺動可能な掻寄羽根を備える掻寄架台を槽内で往復動させ、掻寄架台の往動時には、掻寄羽根を垂下させた第一の状態で、槽の底の堆積物を往動方向に掻き寄せて、往動方向の端にあるピットへ送り込み、掻寄架台の復動時には、槽の底の堆積物を掻寄羽根により戻さないように、掻寄羽根を第一の状態から揺動させて槽の底から離間させる堆積物の掻寄装置が知られている（例えば、特許文献１参照）。
【特許文献１】特開２００３−１８１２０９号公報
【発明の開示】
【発明が解決しようとする課題】
【０００３】
ここで、沈殿地等にあっては、槽内の水面にスカム等の浮上物が浮上するため、上記堆積物の掻寄装置に、浮上物の掻き寄せ機能を装備することが求められている。
【０００４】
本発明は、このような課題を解決するために成されたものであり、低コスト化を図りつつ、効率的且つ確実に堆積物及び浮上物を掻き寄せることが可能な堆積物及び浮上物の掻寄装置提供することを目的とする。
【課題を解決するための手段】
【０００５】
本発明による堆積物及び浮上物の掻寄装置は、槽内で往復動する掻寄架台と、この掻寄架台の下部側に揺動可能に支持され、掻寄架台の往動時には、下方に垂下した垂下状態で槽の底の堆積物を往動方向に掻き寄せ、掻寄架台の復動時には、垂下状態から揺動され底から離間した離間状態とされる堆積物用掻寄羽根と、掻寄架台の上部側に位置し、堆積物用掻寄羽根の揺動に機械的に連動して槽の水面から出没する浮上物用掻寄羽根と、を備えることを特徴としている。
【０００６】
このような堆積物及び浮上物の掻寄装置によれば、掻寄架台の往動時には、堆積物用掻寄羽根が下方に垂下した垂下状態で槽の底の堆積物を掻き寄せ、掻寄架台の復動時には、堆積物用掻寄羽根が垂下状態から揺動し槽の底から離間した離間状態とされる一方で、掻寄架台の上部側に位置する浮上物用掻寄羽根は、堆積物用掻寄羽根の揺動に機械的に連動して槽の水面から出没し、槽の水面上に現れている際には、水面の浮上物を掻き寄せ、槽の水面下に没している際には、槽の水面から離間した状態とされる。このため、堆積物用掻寄羽根による堆積物の掻き戻し、浮上物用掻寄羽根による浮上物の掻き戻しが無く、堆積物及び浮上物は円滑に掻き寄せられる。また、浮上物用掻寄羽根のための動力は別途必要無い。
【０００７】
ここで、浮上物用掻寄羽根は、掻寄架台の上部側に揺動可能に支持され、揺動に従って水面から出没する構成であると、浮上物用掻寄羽根が水面に対して略垂直に出没する構成に比して、水面下に没した状態での移動の際（非掻き寄せ時）の抵抗が少なくされると共に確実に掻き戻しが無くされる。
【０００８】
また、例えば汚泥等を含む排水等が槽内に供給されると、汚泥等の堆積物はその多くが上流側に残り、浮上物は槽の下流側へと向かう。このため、堆積物の排出位置が、槽の上流側に設定され、浮上物の排出位置が、槽の下流側に設定され、浮上物用掻寄羽根は、堆積物用掻寄羽根が垂下状態とされ槽の上流側へ向かう掻寄架台の往動時に水没し、堆積物用掻寄羽根が離間状態とされ槽の下流側へ向かう掻寄架台の復動時に水面上に現れる構成であると、堆積物は堆積物の排出位置へ、浮上物は浮上物の排出位置へ一層効率的に掻き寄せられる。
【０００９】
また、堆積物用掻寄羽根及びこれに機械的に連動する浮上物用掻寄羽根の組合せを、掻寄架台の往復動方向に複数組備えているのが好ましい。
【００１０】
このような構成を採用した場合、並列される堆積物用掻寄羽根の各々が揺動すると共に、この堆積物用掻寄羽根の各々の揺動に機械的に連動して、並列される浮上物用掻寄羽根の各々が水面から出没し、堆積物、浮上物は、並列される掻寄羽根により分担されて次の掻寄羽根へと順次掻き寄せられていく。このため、掻寄架台の往復動の距離が短くされる。
【００１１】
また、堆積物用掻寄羽根及び浮上物用掻寄羽根は各々、掻寄架台の往復動方向に複数並設され、堆積物用掻寄羽根及びこれに機械的に連動する浮上物用掻寄羽根の組合せを少なくとも一組備え、浮上物用掻寄羽根の動作を互いに連動させる連結手段を備えているのが好ましい。
【００１２】
このような構成を採用した場合、並列される堆積物用掻寄羽根の各々が揺動すると共に、少なくとも一つの堆積物用掻寄羽根の揺動に機械的に連動して、この堆積物用掻寄羽根と組を成す浮上物用掻寄羽根が水面から出没し、連結手段により、当該浮上物用掻寄羽根の出没に連動して、並列される他の浮上物用掻寄羽根が水面から出没し、堆積物、浮上物は、並列される掻寄羽根により分担されて次の掻寄羽根へと順次掻き寄せられていく。このため、掻寄架台の往復動の距離が短くされると共に、この連結手段により、堆積物用掻寄羽根の揺動を機械的に浮上物用掻寄羽根に伝達して浮上物用掻寄羽根を水面から出没させる連動機構が減少される。
【発明の効果】
【００１３】
このように本発明による堆積物及び浮上物の掻寄装置によれば、浮上物用掻寄羽根のための動力が不要で低コスト化が図られると共に、堆積物及び浮上物の掻き戻しが無く堆積物及び浮上物が効率的且つ確実に掻き寄せられ、加えて、水面下の堆積物用掻寄羽根の動きが、当該堆積物用掻寄羽根の揺動に機械的に連動して水面から出没する浮上物用掻寄羽根の動きにより確認され信頼性が向上される。
【発明を実施するための最良の形態】
【００１４】
以下、本発明による堆積物及び浮上物の掻寄装置の好適な実施形態について図１〜図９を参照しながら説明する。
【００１５】
図１及び図２は、本発明の実施形態に係る堆積物及び浮上物の掻寄装置を示す各図、図３は、図２中のフライト及びスカムプレートの取付部近傍の拡大図、図４及び図５は、フライトの各状態説明図、図６及び図７は、スカムプレートの各状態説明図、図８及び図９は、浮上物用掻寄羽根連結手段の各断面図である。
【００１６】
図１に示すように、本実施形態の堆積物及び浮上物の掻寄装置１は、例えば、下水処理場の沈殿池等に配置され、槽（沈殿池）１０の底面１０ｂに堆積する汚泥等の堆積物を汚泥ピット１０ａ（堆積物の排出位置）に向けて掻き寄せ、槽１０の水面３に浮上するスカム等の浮上物をスカムパイプ７（浮上物の排出位置）に向けて掻き寄せるものである。
【００１７】
この堆積物及び浮上物の掻寄装置１は、槽１０内を往復動する掻寄架台２０と、この掻寄架台２０の下部側に揺動可能に支持され、槽１０の底面１０ｂに堆積した堆積物を掻き寄せるフライト（堆積物用掻寄羽根）１２と、掻寄架台２０を槽１０の底面１０ｂに対して略平行に往復運動させる駆動装置５０と、掻寄架台２０の上部側に配置され骨組みを構成する枠体２９と、この枠体２９の上部側に揺動可能に支持され水面３に浮上した浮上物を掻き寄せるスカムプレート（浮上物用掻寄羽根）１５と、を具備している。
【００１８】
槽１０は、図１及び図２に示すように、矩形状を成し、図１の左側から汚水が供給され、槽１０の汚水供給側底部には、汚泥ピット１０ａが設けられ、下流側の水面３には、軸回りに回転可能なスカムパイプ７が槽１０の幅全域に亘って横置きされている。このスカムパイプ７は、周面に長手方向に延びる開口を備え横断面形状がＣ字状を成している。
【００１９】
図１〜図３に示すように、槽１０の流れ方向に往復運動する掻寄架台２０、この掻寄架台２０を支持すると共に往復運動を案内するガイドユニット８０、フライト１２の構造及び動作は、特開２００３−１８１２０９号公報に記載のものと同様である。具体的には、掻寄架台２０は、この掻寄架台２０の車輪を構成する主ローラ２４を両端に有する複数の主ローラ支持軸２２と、流れ方向に延びる２本の平行な駆動方向材２１とを備え、これらの主ローラ支持軸２２と駆動方向材２１とが、図３に示すように、結合板２１ａ，２２ａを介して、互いに直角に交差することにより梯子状に構成され、主ローラ２４は、図１〜図３に示すように、槽１０の流れ方向に平行な一対の側壁１０ｃに設置された横断面形状が略コ字状のレールを上下２段備えるガイドユニット８０の上段の主ガイドレール３２内に収容され支持されると共にその走行が案内され、図１に示すように、駆動装置５０を構成するモータ５１が回転することにより、その駆動力がチェーン５２を介して掻寄架台２０へ伝達され、当該掻寄架台２０が往復運動する。
【００２０】
この掻寄架台２０が往動する際には、図３及び図４に示すように、掻寄架台２０の主ローラ支持軸２２に、この軸回りに揺動可能なフライトアーム２５を介して接続されたフライト１２が、垂下した第一の揺動位置で、槽１０の底面１０ｂに堆積した堆積物を汚泥ピット１０ａに向けて掻き寄せ、フライトアーム２５から側壁１０ｃへ向かうように張り出した副ローラ２７が、図１及び図４に示すように、ガイドユニット８０の下段に設置された副ガイドレール３３の下面に揺動可能に設けられると共にこの副ガイドレール３３の下方に略４５度の傾斜面を形成するように張り出した下側案内フラップ３５を押し退けた後に、副ガイドレール３３の下面に形成され往動方向に隣接する開口部４４下を通り過ぎると、モータ５１が逆回転（図示反時計回り）して掻寄架台２０が復動を始め、副ローラ２７が下側案内フラップ３５の傾斜面に沿って上昇し、上記開口部４４を通して副ガイドレール３３内に進入し、フライトアーム２５は、図示時計回りに回動して傾斜状態とされ、図５に示すように、フライト１２が底面１０ｂと離間した状態とされて、掻き寄せた堆積物を逆方向（復動方向）に掻き戻すこと無く掻寄架台２０が復動し、副ローラ２７が復動方向に隣接する開口部４４に近づくと、副ガイドレール３３の下面に揺動可能に設置されると共に上方に延びる上側案内フラップ３６を押し倒して開口部４４上を通過し、副ローラ２７が開口部４４上を通過したら、モータ５１がさらに逆方向に回転し図示時計回りに回転して掻寄架台２０が再び往動を始め、副ローラ２７が、下側案内フラップ３５の傾斜面に沿って降下して副ガイドレール３３外へ案内され、このような一連の動作が繰り返される。なお、図３及び図４に示すように、主ローラ支持軸２２に固定された固定板２２ａには、フライトアーム２５の垂下状態から図示反時計回りのそれ以上の回動を阻止するアームストッパ４３が固定され、下側案内フラップ３５に対しては、上記傾斜状態から図示反時計回りのそれ以上の回動を阻止するストッパ（不図示）が設けられ、図４及び図５に示すように、案内フラップ３５，３６には、副ローラ２７により回動された位置から元の位置（図４及び図５に示す位置）に円滑に復帰させるためのバネ４７、４９が各々設けられている。これらのバネ４７、４９に代えてウエイトを設けても良い。
【００２１】
このような一連の掻寄架台２０及び副ローラ２７の動作によりフライト１２は揺動し、汚泥ピット１０ａ側へ所定区間（開口４４，４４同士間の距離）掻き寄せられた堆積物は、下側案内フラップ３５より汚泥ピット１０ａ側の位置で、一時堆積したままの状態になり、その後、復動して戻って来た汚泥ピット１０ａ側の隣のフライト１２により、さらに、汚泥ピット１０ａ側へ所定区間掻き寄せられ、堆積物は所定区間毎に一つのフライト１２で順送りにされ、汚泥ピット１０ａ迄掻き寄せられて排出される。
【００２２】
次に、本実施形態の特徴を成す構成について説明する。本実施形態の堆積物及び浮上物の掻寄装置１は、上記構成に加えて、図１及び図２に示すように、水面３に浮上したスカム等の浮上物を掻き寄せるためのスカムプレート１５と、このスカムプレート１５を設置するために掻寄架台２０に設けられた枠体２９と、上記フライト１２の揺動に機械的に連動してスカムプレート１５を槽１０の水面３から出没させる連動機構９と、を備えている。
【００２３】
枠体２９は、掻寄架台２０の上部側に配置され、図１〜図３に示すように、スカムポスト２、スカムバー１３及び連結軸１１を備えている。スカムポスト２は、各主ローラ支持軸２２の端部側に離間して一対が立設されている。スカムバー１３は、この一対のスカムポスト２の上端に横架され、主ローラ支持軸２２、スカムポスト２及びスカムバー１３で、矩形枠３７が構成されている。連結軸１１は、往復動方向に延在し槽１０の幅方向に離間する一対が、複数の枠３７の上部同士を連結する。また、隣接するスカムポスト２同士は、剛性を高めるべく、交差するタイロッド１４を介して連結されている。
【００２４】
枠体２９の連結軸１１には、図１及び図３に示すように、スカムバー１３との連結位置から往復動方向に所定距離離間した位置に、図３及び図６に示すように、固定軸４が側壁１０ｃに向かうように連結されている。
【００２５】
この固定軸４には、図３及び図６に示すように、スカムプレート１５を主体として備える浮上物掻寄部（揺動部）８が、揺動可能に設けられている。この浮上物掻寄部８は、固定軸４に外挿され揺動可能に支持されるパイプ５と、このパイプ５にスカムプレート取付板６を介して連結されたスカムプレート１５と、を備えている。このスカムプレート１５は、図２に示すように、槽１０の水面３の幅と略同一の幅となるように構成され、剛性を高めるべく、図６に示すように、断面形状が略Ｌ字形とされている。
【００２６】
連動機構９は、図３及び図６に示すように、スカムプレート１５を備える浮上物掻寄部８と、この浮上物掻寄部８とフライトアーム（フライト１２の揺動部分）２５とを繋ぐワイヤ１８と、このワイヤ１８を常時張るように浮上物掻寄部８に設けられたカウンタウエイト１７と、を具備している。ワイヤ１８は、その上端部が、第二アーム１９を介して浮上物掻寄部８のパイプ５と接続され、その下端部が、図３及び図４に示すように、第一アーム２６を介してフライトアーム２５と接続されている。第二アーム１９は、図６に示すように、スカムプレート１５に対して図示時計回りに所定の角度を成すようにパイプ５に取り付けられている。
【００２７】
カウンタウエイト１７は、図３及び図６に示すように、カウンタウエイトアーム１６を介してパイプ５に接続され、このカウンタウエイト１７により、ワイヤ１８が常時引っ張られる方向に回転モーメントが付与されている。そして、これらのスカムプレート１５及びカウンタウエイト１７を備える浮上物掻寄部８、ワイヤ１８等により構成される連動機構９により、図１及び図３に示すように、フライト１２とスカムプレート１５が機械的に連動する。このスカムプレート１５は、フライト１２を第一の揺動位置に垂下させた状態の時に、水面３下に水没した状態とされている。
【００２８】
また、本実施形態にあっては、掻寄架台２０の往復動方向に複数並設されたスカムプレート１５の動作を互いに連動させる連結手段を備えている。この連結手段は、図６、図８及び図９に示すように、パイプ５に固定された連結アーム３４と、この連結アーム３４の端部を貫通し当該連結アーム３４を揺動可能に支持するピン４１と、このピン４１の両端部を支持する連結部材４０と、このピン４１の連結部材４０からの抜け止めとしての止め輪４２と、を具備し、図８及び図９に示すように、連結部材４０の往復動方向の両側には連結棒３８が接続され、この連結棒３８を介して掻寄架台２０の往復動方向に隣接する連結アーム３４同士が連結されている。これにより、図１に示すように、各々の浮上物掻寄部８が互いに連動する。
【００２９】
さらに、本実施形態にあっては、スカムパイプ７下流側（図示右側）にも、浮上物掻寄部８を備え、連結棒３８を介して上流側の浮上物掻寄部８と連結されている。下流側の浮上物掻寄部８は、上流側の浮上物掻寄部８と同様に揺動するが、浮上物を掻き寄せる方向が異なるため、上流側のスカムプレート１５が水没している時に、下流側のスカムプレート１５が水面３に対して直立し水面３上に現れるように下流側の浮上物掻寄部８に取り付けられている。
【００３０】
このように構成された堆積物及び浮上物の掻寄装置１によれば、槽１０の底面１０ｂに堆積した堆積物は、上述したように、フライト１２による順送りにより、汚泥ピット１０ａへ掻き寄せられる。
【００３１】
この時、図４に示すように、フライト１２は第一の揺動位置に位置し、図６に示すように、第二アーム１９と所定の角度を成すスカムプレート１５は、水没した状態にあり、この状態で掻寄架台２０と共に汚泥ピット１０ａに向かって動くため、スカム等の浮上物はスカムパイプ７の反対側に掻き戻されることは無い。
【００３２】
この移動の際に、スカムプレート１５は、掻寄架台２０の往動方向に対して、傾斜して水没している。このため、スカムプレート１５が水面３に対して略垂直に水没する構成に比して、水面３下に没した状態での移動の際（非掻寄時）の抵抗が少なくされると共に確実に掻き戻しが無くされている。この時、スカムパイプ７の下流側のスカムプレート１５は、水面３に出現した状態にあると共に、スカムパイプ７の開口部は下流側を向いている。従って、スカムパイプ７より下流側の浮上物は、スカムパイプ７より下流側のスカムプレート１５により、スカムパイプ７へ円滑に排出される。
【００３３】
次いで、掻寄架台２０が復動を始め、フライト１２は、図４に示す垂下した第一の揺動位置から図示時計回りに回動し、図５に示すように、底面１０ｂから離間した状態となり、第一アーム２６も図示時計回りに回動してワイヤ１８を下方に引き寄せる。
【００３４】
この時、ワイヤ１８の下方への移動により、第二アーム１９が図６に示す位置から図示時計回りに下方へ回動し、スカムプレート１５は、図６に示す水没している位置から、水面３に向かって図示時計回りに回動し、図７に示すように、垂直上向きに直立し、水面３に出現する。さらに、並列されたスカムプレート１５は、連結手段により連結されていることから、各々のスカムプレート１５は互いに連動して垂直上向きに直立し水面３に出現する。この状態で掻寄架台２０が復動を続け、水面３に浮上している浮上物は、水面３上に出現したスカムプレート１５により、スカムパイプ７に向かって掻き寄せられる。この時、スカムパイプ７の開口部は上流側を向いている。また、スカムパイプ７より下流側のスカムプレート１５は、連結手段により連動して水没した状態にあり、当該スカムパイプ７より下流側の浮上物が、下流側に掻き戻されることは無い。
【００３５】
そして、さらに掻寄架台２０は復動を続け、図５に示すように、フライト１２の先端が復動側に隣接する開口部４４を通過した後、再び、往動を始める。フライト１２は、図５に示す図示時計回りに回動した位置から、図示反時計回り回動して、図４に示す垂下した第一の揺動位置に復帰し、第一アーム２６も図示反時計回りに回動する。これにより、ワイヤ１８を下方に引き寄せていた力が緩和される。
【００３６】
従って、図７に示すように、カウンタウエイトアーム１６は下方へ回動し、浮上物掻寄部８は、スカムプレート１５が水面３に出現している状態から図示反時計回りに回動し、図６に示すように水没する。さらに、並列されたスカムプレート１５は、各々が連結手段により連結されているため、各々のスカムプレート１５は互いに連動して水没する。一方、スカムパイプ７より下流側のスカムプレート１５は、連動して水面３上に出現する。このような一連のスカムプレート１５の動作により、浮上物は、所定区間毎に一つのスカムプレート１５で順送りされ、スカムパイプ７迄掻き寄せられて円滑に排出される。
【００３７】
このように、本実施形態においては、堆積物及び浮上物掻寄装置１が水面３に浮上したスカム等の浮上物を掻き寄せるスカムプレート１５を備えると共に、フライト１２の揺動に機械的に連動してスカムプレート１５を槽１０の水面３から出没させる連動機構９を備えているため、上記フライト１２による堆積物の掻き戻しが無いことに加えて、スカムプレート１５による浮上物の掻き戻しが無く、堆積物及び浮上物が円滑に掻き寄せられて排出されると共に、スカムプレート１５のための動力源を別途設置する必要が無くされている。このため、低コスト化が図られると共に、堆積物及び浮上物が効率的且つ確実に掻き寄せられ、加えて、水面３下のフライト１２の動きが、当該フライト１２の揺動に機械的に連動して水面３から出没するスカムプレート１５の動きにより確認され信頼性が向上されている。
【００３８】
また、図１に示すように、例えば汚泥等を含む排水等が槽１０内に供給されると、汚泥等の堆積物はその多くが上流側（図示左側）に堆積し、浮上物は流れに乗って槽１０の下流側へと向かうが、堆積物の排出位置として汚泥ピット１０ａを槽１０の上流側に設定し、浮上物の排出位置としてスカムパイプ７を槽の下流側に設定しているため、堆積物は汚泥ピット１０ａへ、浮上物はスカムパイプ７へ一層効果的に掻き寄せられる。
【００３９】
また、複数のフライト１２を備え、各々のフライト１２がこの一連の動作によって揺動されると共に、このフライト１２の各々の揺動に機械的に連動して、並列するスカムプレート１５の各々が水面３から出没し、堆積物、浮上物は、並列するフライト１２、スカムプレート１５により分担して次のフライト１２、スカムプレート１５へと順々に掻き寄せられるため、一つのフライト１２、スカムプレート１５で槽１０全体の掻き寄せを行う場合に比して、掻寄架台２０の往復運動の距離が短くされている。
【００４０】
また、スカムプレート１５が、スカムパイプ７の下流側にも設置されているため、スカムパイプ７より下流側で浮上した浮上物も良好に掻き寄せられる。
【００４１】
また、スカムパイプ７は回転自在とされ、スカムプレート１５が浮上物を掻き寄せる方向に応じて、スカムパイプ７の開口部の向きが変えられているため、スカムパイプ７に流入する表面水の量が減らされ、後段のスカム移送ポンプ（不図示）等の運転コスト等を削減することが可能とされている。
【００４２】
また、浮上物掻寄部８が枠体２９を介して掻寄架台２０と連結され、浮上物掻寄部８と掻寄架台２０とが一体となって移動するため、浮上物掻寄部８専用のガイドレール等を設置する必要が無く、制作費、現地工事費等を抑えることが可能とされている。
【００４３】
また、チェーンフライト式汚泥掻寄機は、フライト（堆積物用掻寄羽根）の戻り部を利用して水面３の浮上物を掻き寄せているため、図２に示すように、槽１０の底面１０ｂの幅と比較して水面３の幅が大きい場合は、側壁１０ｃ付近の浮上物を掻き寄せることが無理であるか、又は、対策として特開平８−２６７０５９号公報記載のように、フライトと槽１０の側壁１０ｃとの間の隙間を塞ぐためのスカムガイドを、側壁１０ｃの略全長に亘り設置する必要があるが、本実施形態の堆積物及び浮上物の掻寄装置１は、フライト１２とスカムプレート１５とは別部品とされているため、前述したようにスカムプレート１５の幅が水面３の幅と略同一とされ、スカムガイドを設置すること無く、側壁１０ｃ際の浮上物を効果的に掻き寄せることが可能とされている。
【００４４】
ここで、特開平８−２６７０５９号公報記載のチェーンフライト式汚泥掻寄機では、水面３を移動するフライトがスカムパイプ７の手前で、水面３に対して斜めに傾斜して水没するため、フライトを水面３に対して直立させた状態でスカムパイプ７に近づけることは無理であるが、本実施形態の堆積物及び浮上物の掻寄装置１では、スカムプレート１５が水面３に対して直立した状態でスカムパイプ７に可能な限り接近され、特開平８−２６７０５９号公報記載の装置に比して、浮上物の掻き寄せ及び排出が確実に行われる。
【００４５】
以上、本発明をその実施形態に基づき具体的に説明したが、本発明は、上記実施形態に限定されるものではない。例えば、連結棒３８により、複数の連結アーム３４が互いに連結され、複数のスカムプレート１５が機械的に連動するため、ワイヤ１８による連結箇所は、１以上であれば限定されない。
【００４６】
また、スカムプレート１５の連結軸１１に対する設置位置は、スカムプレート取付板６、カウンタウエイトアーム１６、第二アーム１９、連結アーム３４の角度を変えることにより、自由に選定することが可能である。
【００４７】
また、上記実施形態においては、特に好ましいとして、スカムプレート１５が揺動することで水面３から出没する構成としているが、スカムプレート１５が略垂直に移動し、水面から略垂直に出没する構成とすることも可能である。
【００４８】
なお、上記実施形態では、各々のフライトアーム２５に副ローラ２７を設置して、フライト１２を揺動させる構造としているが、副ローラ２７の設置個数を１個以上とし、スカムプレート１５を連動させる連結手段のように、連結棒等を互いに接続することにより、並列するフライトアーム２５同士を機械的に連動させる構造としても良い。このような構造とした場合、副ローラ２７及び副ローラ２７の動きに寄与しない案内フラップ３５，３６の数量が減少され、低コスト化及び簡素化が可能となる。
【図面の簡単な説明】
【００４９】
【図１】本発明の実施形態に係る堆積物及び浮上物の掻寄装置を示す正面模式図である。
【図２】本発明の実施形態に係る堆積物及び浮上物の掻寄装置を示す側面模式図である。
【図３】図２中のフライト及びスカムプレートの取付部近傍の拡大図である。
【図４】往動時のフライトの状態を示す模式図である。
【図５】復動時のフライトの状態を示す模式図である。
【図６】往動時のスカムプレートの状態を示す模式図である。
【図７】復動時のスカムプレートの状態を示す模式図である。
【図８】浮上物用掻寄羽根連結手段の縦断面図である。
【図９】図８のIX−IX矢視図である。
【符号の説明】
【００５０】
１…堆積物及び浮上物の掻寄装置、３…水面、７…スカムパイプ（浮上物の排出位置）、８…浮上物掻寄部（揺動部）、９…連動機構、１０…槽、１０ａ…汚泥ピット（堆積物の排出位置）、１０ｂ…槽の底、１２…フライト（堆積物用掻寄羽根）、１５…スカムプレート（浮上物用掻寄羽根）、１７…カウンタウエイト、１８…ワイヤ（ワイヤ状部材）、２０…掻寄架台、３４…連結アーム（浮上物用掻寄羽根連結手段）、３８…連結棒（浮上物用掻寄羽根連結手段）、４０…連結部材（浮上物用掻寄羽根連結手段）。
【図１】
2005144388.tif 000003
【図２】
2005144388.tif 000004
【図３】
2005144388.tif 000005
【図４】
2005144388.tif 000006
【図５】
2005144388.tif 000007
【図６】
2005144388.tif 000008
【図７】
2005144388.tif 000009
【図８】
2005144388.tif 000010
【図９】
2005144388.tif 000011